(57)【要約】【課題】夏場に空調設備を冷房運転したときに、大多数の人にとって足元が快適になり、しかも空調設備の消費電力増加も抑制される冷暖房設備を備えた室及び冷暖房設備の運転方法を提供する。【解決手段】フローリング２０の下面側かつ床暖房パネル１０の上面側に潜熱蓄熱材３０が設けられている。潜熱蓄熱材３０は、高温相から低温相に相変態するときのピーク温度が２０〜４０℃である。エアコン３を設定温度２２〜２８℃で冷房運転し、前記フローリングの表面温度が該設定温度よりも０．５〜５．０℃高い温度となるように床暖房パネル１０を作動させる。【選択図】図１
2020165176.tif 000002
【特許請求の範囲】
【請求項１】
空調設備及び床暖房装置よりなる冷暖房設備を備えた室であって、
該室の床を構成するフローリングの下面側かつ該床暖房装置の上面側に潜熱蓄熱材が設けられている室において、
該潜熱蓄熱材は、高温相から低温相に相変態するときのピーク温度が２０〜４０℃であることを特徴とする冷暖房設備を備えた室。
【請求項２】
前記潜熱蓄熱材は、パラフィン化合物を含む請求項１の冷暖房設備を備えた室。
【請求項３】
前記潜熱蓄熱材は、さらに熱可塑性エラストマーを含む請求項２の冷暖房設備を備えた室。
【請求項４】
前記潜熱蓄熱材は、ポリオール（ａ）、イソシアネート基を有する化合物（ｂ）および脂肪酸エステル（ｃ）を含む硬化性蓄熱組成物を含む請求項１の冷暖房設備を備えた室。
【請求項５】
前記潜熱蓄熱材は、平面視において、室に敷設された床暖房装置の面積の４０〜１００％の範囲に設けられていることを特徴とする請求項１〜４のいずれかの冷暖房設備を備えた室。
【請求項６】
請求項１〜５のいずれかの冷暖房設備を備えた室の該冷暖房設備を運転する方法であって、
前記空調設備を設定温度２２〜２８℃で冷房運転し、
前記フローリングの表面温度が該設定温度よりも０．５〜５．０℃高い温度となるように前記床暖房装置を運転する
冷暖房設備の運転方法。
【発明の詳細な説明】
【技術分野】
【０００１】
本発明は、空調設備（エアコン）と床暖房装置とからなる冷暖房設備を有する室に係り、詳しくは、床暖房装置を有する床のフローリングの下面側と床暖房装置との間に潜熱蓄熱材が配置されている室に関する。また、本発明はこの冷暖房設備の運転方法に関する。
【背景技術】
【０００２】
空調設備（エアコン）を備えた室において、夏場に冷房運転すると、足元が冷えて冷感が感取されることがある。特許文献１には、床暖房を夏の冷房時にも作動させて足元を温めることが記載されている。
【０００３】
特許文献２には、床暖房装置を有する床のフローリングの下面側と床暖房装置との間に潜熱蓄熱材を設けることが記載されている。
【先行技術文献】
【特許文献】
【０００４】
【特許文献１】特開平４−１６１７２９号公報
【特許文献２】特開２０１８-５９６５３号公報
【発明の概要】
【発明が解決しようとする課題】
【０００５】
通常の床暖房装置は、床を十分に昇温させるよう構成されているため、夏場に床暖房装置を作動させると、床温度が高くなりすぎ、冷え症でない人等には不快感が感取されると共に、空調設備の消費電力も徒に増加する。
【０００６】
本発明は、夏場に空調設備を冷房運転したときに、大多数の人にとって足元が快適になり、しかも空調設備の消費電力増加も抑制される冷暖房設備を備えた室と、冷暖房設備の運転方法を提供することを目的とする。
【課題を解決するための手段】
【０００７】
本発明の要旨は、次の通りである。
［１］  空調設備及び床暖房装置よりなる冷暖房設備を備えた室であって、該室の床を構成するフローリングの下面側かつ該床暖房装置の上面側に潜熱蓄熱材が設けられている室において、該潜熱蓄熱材は、高温相から低温相に相変態するときのピーク温度が２０〜４０℃であることを特徴とする冷暖房設備を備えた室。
【０００８】
［２］  前記潜熱蓄熱材は、パラフィン化合物を含む［１］の冷暖房設備を備えた室。
［３］  前記潜熱蓄熱材は、さらに熱可塑性エラストマーを含む［２］の冷暖房設備を備えた室。
【０００９】
［４］  前記潜熱蓄熱材は、ポリオール（ａ）、イソシアネート基を有する化合物（ｂ）および脂肪酸エステル（ｃ）を含む硬化性蓄熱組成物を含む［１］の冷暖房設備を備えた室。
【００１０】
［５］  前記潜熱蓄熱材は、平面視において、室に敷設された床暖房装置の面積の４０〜１００％の範囲に設けられていることを特徴とする［１］〜［４］のいずれかの冷暖房設備を備えた室。
【００１１】
［６］  ［１］〜［５］のいずれかの冷暖房設備を備えた室の該冷暖房設備を運転する方法であって、前記空調設備を設定温度２２〜２８℃で冷房運転し、前記フローリングの表面温度が該設定温度よりも０．５〜５．０℃高い温度となるように前記床暖房装置を運転する
冷暖房設備の運転方法。
【発明の効果】
【００１２】
本発明によると、空調設備を冷房運転した際に、フローリング表面温度が室内温度よりもごく僅かに高い温度となる。これにより、足元の冷えが防止される。
【００１３】
床暖房により室内に供給される熱エネルギーは少量であり、空調設備の消費電力の増加は極めて少ない。
【００１４】
本発明では、フローリングの下側に潜熱蓄熱材を配置しているので、フローリング表面温度を安定して適温に維持することができ、足元の暖まりの過不足がない。
【図面の簡単な説明】
【００１５】
【図１】実施の形態に係る室の模式的な立面図である。
【図２】実施の形態に係る室の床の分解構成図である。
【発明を実施するための形態】
【００１６】
以下、図１，２を参照して実施の形態について説明する。
【００１７】
図１の通り、室１の壁２の上部（又は天井）に空調設備としてのエアコン３が設置され、冷房及び暖房等が行われる。室１の床４は、床暖房パネル１０とフローリング２０と、フローリング２０の裏面（下面）の凹部２１に嵌合配置された潜熱蓄熱材３０とで構成されている。
【００１８】
床暖房パネル１０は、発泡樹脂成形体よりなるパネル本体１１と、該パネル本体１１の上面に設けられた溝１２と、該溝１２内に配置された温水パイプ１３と、温水パイプ１３の熱をパネル本体１１の上面側に伝達するための略逆Ω字形状の伝熱部材１４と、パネル本体１１の上面を覆うように設けられる均熱シート１５等を備えている。温水パイプ１３に給湯器４０からの温水が循環往管４１と循環戻管４２とを介して循環通水されることにより、床暖房が行われる。
【００１９】
なお、床暖房パネル１０は、温水パイプ方式に限られるものではなく、電気ヒータ方式のものであってもよい。
【００２０】
フローリング２０は、室１の床の略全面に設けられている。凹部２１は、フローリング２０の裏面の面積の約２０〜１００％を占める大きさとなっている。前記潜熱蓄熱材３０はこの凹部２１内に配置されている。室１に敷設された床暖房装置の面積の約４０〜１００％の範囲にわたって潜熱蓄熱材３０が設けられている。
【００２１】
潜熱蓄熱材３０は、潜熱蓄熱材組成物３１を合成樹脂製のフィルム又はシート３２で被包したものである。潜熱蓄熱材組成物３１は、相変態温度（融点）を有している。相変態温度よりも低温では固体状となり、相変態温度よりも高温では粘稠流体となる。
【００２２】
潜熱蓄熱材組成物３１を相変態温度よりも高い温度から相変態温度よりも低い温度に降温速度３〜１０℃／ｍｉｎ程度で降温させると、相変態温度付近で明瞭な発熱ピークが現れる。本発明では、示差走査熱量計を用いて−２３℃から４７℃に昇温速度１０℃／ｍｉｎで昇温した後、降温速度１０℃／ｍｉｎで−２３℃まで降温させたときのピーク温度が２０℃以上、特に２５℃以上で、４０℃以下、特に３５℃以下の潜熱蓄熱材組成物を用いる。
【００２３】
前記エアコン３には、床４の全体にわたってフローリング２０の表面温度を測定するための赤外線輻射式温度センサ３ａが設けられている。エアコン３に設けられたエアコン制御装置（図示略）のＲＯＭには、この温度センサ３ａで検出されるフローリング表面温度が所定範囲となるように、給湯器４０を制御するためのプログラムが記憶されている。
【００２４】
給湯器４０は、第１所定時間、３０〜７０℃、特に４０〜６０℃の温水を床暖房パネル１０に供給し、第２所定時間、温水供給を停止するＯＮ−ＯＦＦ運転とすることが、制御が簡易で好適である。第１所定時間の間に、温水パイプ１３からの熱により潜熱蓄熱材３０が加温され、融解する。第２所定時間の間は、フローリング２０は潜熱蓄熱材３０からの放熱によって加温される。第２所定時間の間、潜熱蓄熱材３０は徐々に高温相→低温相に相変態（凝固）する。潜熱蓄熱材３０の温度は、第１所定時間〜第２所定時間の全期間を通じて、ほぼ前記ピーク温度となり、フローリング２０の表面温度が２５〜３０℃程度に保たれる。
【００２５】
エアコン３の設定温度を２２〜２８℃、好ましくは２４〜２８℃、特に好ましくは２４〜２７℃の間から選択された温度として、冷房運転した場合、フローリング２０の表面温度はこのエアコン３の設定温度よりもごく僅かに高い温度に保たれるので、冷え症の人でも足元に冷感を感取することが殆どないようになる。また、床暖房のための温水通水に要する熱エネルギーは少量であり、エアコン３の冷房消費電力の増大もきわめて少ない。このとき、フローリング２０の表面温度はこのエアコン３の設定温度よりも０．５〜５．０℃高いことが好ましく、１．０〜４．０℃高いことがより好ましい。
【００２６】
この潜熱蓄熱材組成物は、（ｉ）パラフィン化合物、又は後述の（ii）硬化性蓄熱組成物を含むもの等が好ましい。
【００２７】
（ｉ）の組成物のパラフィン化合物としては、融点が上記範囲となるものが用いられ、具体的には、主鎖の炭素数が１７〜２０個の飽和炭化水素を用いることで、相転移温度を実用温度域において任意に選択でき、幅広い用途で好適に使用できる。直鎖状飽和炭化水素の具体例（炭素数／融点）としては、ヘプタデカン（１７個／２１℃）、オクタデカン（１８個／２８℃）、ノナデカン（１９個／３２℃）、イコサン（２０個／３７℃）などが用いられる。また、直鎖状飽和炭化水素の代わりに、分岐鎖を有する分岐状飽和炭化水素を用いてもよい。
【００２８】
パラフィン化合物は、さらに熱可塑性エラストマーを含むことが好ましく、そのなかでも、スチレン系エラストマーを含むことがより好ましい。スチレン系エラストマーとしては、ポリスチレンからなるハードセグメントと、ポリブタジエン、ポリイソプレン、ポリイソブチレン、またはこれらの水素添加物、および／またはそれらの共重合体からなるソフトセグメントとから構成されるエラストマーが好ましい。
【００２９】
スチレン系エラストマーの具体例としては、スチレン−ブタジエン共重合体（ＳＢ）、スチレン−ブタジエン−スチレン共重合体（ＳＢＳ）、スチレン−イソプレン共重合体（ＳＩ）、スチレン−イソプレン−スチレン共重合体（ＳＩＳ）、スチレン−イソブチレン共重合体（ＳＩＢ）、スチレン−イソブチレン−スチレン共重合体（ＳＩＢＳ）、スチレン−ブタジエン−ブチレン−スチレン共重合体（ＳＢＢＳ）、スチレン−エチレン−ブチレン−スチレン共重合体（ＳＥＢＳ）、スチレン−エチレン−プロピレン−スチレン共重合体（ＳＥＰＳ）、スチレン−エチレン−エチレン−プロピレン−スチレン（ＳＥＥＰＳ）共重合体が挙げられる。これらは、一種類を単独で用いてもよいし、二種類以上を組み合わせて用いてもよい。また、これらの共重合体であってもよい。この中でも、形状保持性の観点から、ＳＢＳ、ＳＢＢＳ、ＳＩＳ、ＳＥＢＳ、ＳＥＰＳ、ＳＥＥＰＳ、ＳＩＢＳといったトリブロック共重合体を用いることが特に好ましい。
【００３０】
（ii）の潜熱蓄熱材は、ポリオール（ａ）、イソシアネート基を有する化合物（ｂ）および蓄熱材（ｃ）を含む硬化性蓄熱組成物を含むものであってもよい。以下、この硬化性蓄熱組成物について説明する。
【００３１】
＜ポリオール（ａ）＞
（ａ）成分のポリオールは、後述する（ｂ）成分と反応して、蓄熱材（ｃ）を担持するための３次元架橋構造を形成する成分であり、緻密な架橋構造を形成することができる。
【００３２】
ポリオール（ａ）としては、例えば、ポリエステルポリオール、ポリエーテルポリオール、ポリオレフィンポリオール、ポリカーボネートポリオール、ポリカプロラクトンポリオール、アクリルポリオール、エポキシポリオール、アルキドポリオール、フッ素含有ポリオール、ケイ素含有系ポリオール、セルロース及び／またはその誘導体、アミロース等の多糖類等が挙げられる。（ａ）成分としては、これらの１種のみを用いてもよく、２種以上を混合して用いてもよい。
【００３３】
＜イソシアネート基を有する化合物（ｂ）＞
（ｂ）成分は、ポリオール（ａ）の水酸基と反応して３次元架橋構造を形成するものであり、（ｂ）成分中のイソシアネート基は、水酸基との反応性に優れ、反応が迅速に進行し、かつ緻密な架橋構造を形成することができる。
【００３４】
イソシアネート基を有する化合物（ｂ）としては、特に脂肪族ジイソシアネートを用いることが好ましく、特にＨＭＤＩおよびその誘導体化したもの等が好ましい。
【００３５】
＜ポリオール（ａ）とイソシアネート基を有する化合物（ｂ）の含有割合＞
本発明の硬化性蓄熱組成物に含まれる（ａ）成分と（ｂ）成分の含有割合は、ＮＣＯ／ＯＨ比率（当量比率）で好ましくは０．５〜２．０、さらに好ましくは０．８〜１．５となる範囲内で設定すればよい。
【００３６】
＜蓄熱材（ｃ）＞
蓄熱材（ｃ）としては、無機潜熱蓄熱材、有機潜熱蓄熱材等が挙げられる。
【００３７】
無機潜熱蓄熱材としては、例えば、硫酸ナトリウム１０水和物、炭酸ナトリウム１０水和物、リン酸水素ナトリウム１２水和物、チオ硫酸ナトリウム５水和物、塩化カルシウム６水和物等の水和塩等が挙げられる。
【００３８】
有機潜熱蓄熱材としては、例えば、脂肪族炭化水素、長鎖アルコール、長鎖脂肪酸、長鎖脂肪酸エステル、ポリエーテル化合物、脂肪酸トリグリセリド等が挙げられる。
【００３９】
蓄熱材（ｃ）はこれらの蓄熱材のうち１種または２種以上を用いることができる。
【００４０】
有機潜熱蓄熱材のうち、融点が前記範囲に入る脂肪族炭化水素としては、例えば、ヘプタデカン（融点２２℃）、オクタデカン（融点２８℃）、ノナデカン（融点３２℃）、イコサン（融点３６℃）、パラフィンワックス等が挙げられる。
【００４１】
長鎖アルコールとしては、例えば、ラウリルアルコール（融点２４℃）、ミリスチルアルコール（融点３８℃）等が挙げられる。
【００４２】
長鎖脂肪酸としては、例えば、デカン酸（融点３２℃）等が挙げられる。
【００４３】
長鎖脂肪酸エステルとしては、例えば、ステアリン酸メチル（融点３８℃）、ステアリン酸ブチル（融点２５℃）等が挙げられる。
【００４４】
ポリエーテル化合物としては、例えば、ジエチレングリコール、トリエチレングリコール、テトラエチレングリコール、トリエチレングリコールモノメチルエーテル、ポリプロピレングリコール、ポリエチレングリコール、ポリプロピレングリコールジアクリレート、エチルエチレングリコール等が挙げられる。
【００４５】
脂肪酸トリグリセリドとしては、例えば、ヤシ油、パーム核油等の植物油や、その精製加工品である中鎖脂肪酸トリグリセリド、長鎖脂肪酸トリグリセリド等が挙げられる。
【００４６】
本発明の硬化性蓄熱組成物中の蓄熱材（ｃ）の含有量には特に制限はないが、好ましくは４０〜５０重量％、より好ましくは５０〜８５重量％、さらに好ましくは６０〜８０重量％である。
【００４７】
＜その他の成分＞
硬化性蓄熱組成物には、上述の成分以外に、各種添加剤を配合することも可能である。このような添加剤としては、例えば、可塑剤、防腐剤、防黴剤、防藻剤、消泡剤、レベリング剤、顔料分散剤、沈降防止剤、たれ防止剤、硬化促進剤、脱水剤、艶消し剤、難燃剤、紫外線吸収剤、光安定剤等が挙げられる。
【実施例】
【００４８】
以下、実験例Ｎｏ．１〜７について説明する。
【００４９】
［Ｎｏ．１〜６］
１２畳の部屋（窓なし。壁及び天井は断熱材製）の床を下記構造とした。
【００５０】
温水パネル：三菱ケミカルインフラテック株式会社製「エクセルソーレ５５」（温水パイプ直径７．２ｍｍ）
広さ１２畳の部屋の躯体床面の上に、上記温水パネル（長さ１７７３ｍｍ×幅３３３３ｍｍを２枚、長さ８６４mm×幅３３３３ｍｍを１枚の計３枚）を長さ方向に並列に敷設した。
【００５１】
フローリング：永大産業株式会社製「エコ熱プラス」
（１８１８ｍｍ×３０３ｍｍ×１２ｍｍ。裏面に潜熱蓄熱材を配置するための２６２×１１２×５ｍｍの凹部を有する。）
【００５２】
潜熱蓄熱材：（ピーク温度２６℃のパラフィン化合物とスチレン系エラストマーとを質量比９０：１０で含有し、厚さ５０μｍのポリアミドフィルムで被包したもの。固形状体時の寸法２３５×８５×４．５ｍｍ。）
【００５３】
エアコン及び給湯器としては、次のものを設置した。
エアコン：ダイキン製「ＡＮ４０ＵＲ−Ｗ」、２０１７年製  １００Ｖ  冷房能力４．０ｋＷ、簡易体感試験より「風量１、風向左右ワイド、風向上下１」に設定
給湯器：松井製作所  ＭＣＬ−８８−Ｊ  能力８ｋＷ
【００５４】
外気温が３０℃のときに、エアコンの設定温度を２４℃とし、温水温度（給湯器からの出湯時温度）を表１の通りとした。温水をＯＮ／ＯＦＦ通水するものとし、そのときの前記第１所定時間（ＯＮ時間）及び第２所定時間（ＯＦＦ時間）をそれぞれ表１の通りとした（表１にＯＮ／ＯＦＦ時間と表記）。ＯＮ時間（第１所定時間）における給湯器からの温水の出湯流量を２．５Ｌ／ｍｉｎとした。
【００５５】
フローリングの表面温度を表面温度計で測定し、潜熱蓄熱材の下面側の温度を温度センサで測定した。
【００５６】
室内の気温を、室内の１４４箇所に配置（上下、前後、左右に均等に配置）した温度センサで測定し、平均した。
【００５７】
模擬足熱流を日本建材試験センター規格ＤＩＮ５２６１４によって測定した。結果を表１に示す。
【００５８】
［Ｎｏ．７］
温水を通水せず、エアコンの冷房運転のみを行い、Ｎｏ．１〜６と同様の測定を行った。結果を表１に示す。
【００５９】
【表１】
2020165176.tif 000003
【００６０】
表１の通り、Ｎｏ．１〜６はフローリングの表面温度が室内の気温よりも１．３〜２．７℃高い範囲にあり、模擬足熱流の値（模擬足から奪われる熱量をマイナスで表記している）がＮｏ．７と比較して小さくなっていることから、足元の冷えを改善することができる。Ｎｏ．６は、室内温度の実測値（２５．６℃）が、エアコンの設定温度（２４℃）よりも１℃以上上昇しているため、逆に不快に感じる（暑いと感じる）人の割合が多くなる可能性がある。Ｎｏ．７では足元が冷えると感じる人が多い。
【符号の説明】
【００６１】
１  室
２  壁
３  エアコン
４  床
１０  床暖房パネル
２０  フローリング
３０  潜熱蓄熱材
【図１】
2020165176.tif 000004
【図２】
2020165176.tif 000005